(57)【特許請求の範囲】
【請求項１】
基体と、
前記基体の第１取付面に組み付けられたハウジングと、
前記基体の第２取付面に組み付けられた電動モータと、
前記電動モータから前記ハウジングに至るバスバーと、
前記バスバーに環装された強磁性体と、を備える車両用ブレーキ液圧制御装置であって、
前記バスバーは、前記基体に形成された挿入孔に挿入されており、
前記強磁性体は、前記挿入孔の内部に固定されており、
前記強磁性体は、前記ハウジングと前記挿入孔の内周に設けられた鍔部とによって前記挿入孔の軸線方向への移動を規制された状態で、前記基体内に固定されることを特徴とする車両用ブレーキ液圧制御装置。
【請求項２】
前記強磁性体は、前記挿入孔の前記鍔部および／または前記ハウジングに備えられた弾性体によって、前記挿入孔の軸線方向に付勢されることを特徴とする請求項１に記載の車両用ブレーキ液圧制御装置。
【請求項３】
基体と、
前記基体の第１取付面に組み付けられたハウジングと、
前記基体の第２取付面に組み付けられた電動モータと、
前記電動モータから前記ハウジングに至るバスバーと、
前記バスバーに環装された強磁性体と、を備える車両用ブレーキ液圧制御装置であって、
前記バスバーは、前記基体に形成された挿入孔に挿入されており、
前記強磁性体は、前記挿入孔の内部に固定されており、
前記強磁性体は、前記挿入孔の内周に設けられた鍔部および／または前記ハウジングに備えられた弾性体によって、前記挿入孔の軸線方向に付勢されることを特徴とする車両用ブレーキ液圧制御装置。
【請求項４】
基体と、
前記基体の第１取付面に組み付けられたハウジングと、
前記基体の第２取付面に組み付けられた電動モータと、
前記電動モータから前記ハウジングに至るバスバーと、
前記バスバーに環装された強磁性体と、を備える車両用ブレーキ液圧制御装置であって、
前記バスバーは、前記基体に形成された挿入孔に挿入されており、
前記強磁性体は、前記挿入孔の内部に固定されており、
前記強磁性体は、前記挿入孔の内周に設けられた鍔部および／または前記挿入孔の開口部に着脱自在に挿設された固定部に載置された弾性体によって、前記挿入孔の軸線方向に付勢されることを特徴とする車両用ブレーキ液圧制御装置。
【発明の詳細な説明】
【技術分野】
【０００１】
本発明は、車両用ブレーキ液圧制御装置に関する。詳しくは、車両用ブレーキ液圧制御装置が備える電動モータのラジオノイズを低減する構造に関する。
【背景技術】
【０００２】
車両用ブレーキ液圧制御装置は、油路や各種部品（電動モータやポンプなど）が設けられる基体と、この基体の一面（第１取付面）に装着される制御装置や電磁弁などを収容するハウジングと、基体の他面（第２取付面）に装着される電動モータとを一体のユニット化して構成されるものが多い。なお、電動モータは、基体に貫設されたバスバーを介して、ハウジング内の制御装置に電気的に接続される。このような車両用ブレーキ液圧制御装置の作動時において、電動モータは、整流火花などによって発生する電磁波に起因して、車載されたラジオにノイズ（以下、「ラジオノイズ」という。）を発生させることがある。
【０００３】
ラジオノイズの発生を防止する方法は、コンデンサやインダクタといったコンポーネントを有するノイズフィルタを用いることが多い。例えば、電動ブラシモータにおいてブラシホルダにコンデンサを接続したり（例えば、特許文献１）、チョークコイルを接続したりしてノイズフィルタを構成していた。かかるノイズフィルタにあっては、ラジオノイズに対して、低い並列インピーダンスを付与するか、もしくは高い直列インピーダンスを付与するかによって、ノイズの通過を抑制している。
【特許文献１】特開２００７−２６７４４８号公報
【発明の開示】
【発明が解決しようとする課題】
【０００４】
しかしながら、前記したブラシホルダを含むユニットはより小型化することが求められており、コンデンサやチョークコイルを取付けるためのスペースの確保は、この小型化に相反するものとなっていた。特にチョークコイルを取り付ける場合は、チョークコイルの外径によって、ブラシホルダの高さが規制され、設計的な制約を生ずるおそれがあった。さらに、コンデンサやチョークコイルを取付ける際には、溶接やはんだ付け等の工程が必要となり、生産性向上の障害となるおそれがあった。
【０００５】
そこで、本発明では、装置の小型化が図れるとともに、取付容易な電動モータのラジオノイズを低減することができる車両用ブレーキ液圧制御装置を提供することを主たる目的とする。
【課題を解決するための手段】
【０００６】
前記課題を解決するため、本発明に係る車両用ブレーキ液圧制御装置は、基体と、前記基体の第１取付面に組み付けられたハウジングと、前記基体の第２取付面に組み付けられた電動モータと、前記電動モータから前記ハウジングに至るバスバーと、バスバーに環装された強磁性体と、を備える車両用ブレーキ液圧制御装置であって、バスバーは、基体に形成された挿入孔に挿入されており、強磁性体は、挿入孔の内部に固定されており、前記強磁性体は、前記ハウジングと前記挿入孔の内周に設けられた鍔部とによって前記挿入孔の軸線方向への移動を規制された状態で、前記基体内に固定されることを特徴としている。
【０００７】
かかる構成では、強磁性体内にバスバーを通す、もしくはバスバーに強磁性体を巻き付ける等によって、強磁性体を環装させる、いわゆるフェライト・コアを形成し、このフェライト・コアをインダクタとして機能させている。こうすることによって、コンデンサやチョークコイルを接続することによって構成されていたノイズフィルタが必要なくなり、前記したチョークコイルの外径によって、ブラシホルダの高さが規制される設計的な制約はなくなり、装置の小型化が図れる。さらに、組付けは容易であり、コンデンサやチョークコイルを取付ける際に必要だった溶接やはんだ付け等の工程が不必要となるため生産性の向上が図れる。
【０００９】
また、本発明によれば、強磁性体が、ハウジングと挿入孔の内周に設けられた鍔部とによって挿入孔の軸線方向への移動を規制された状態で、基体内に固定されるので、ハウジングを基体に装着するだけで、強磁性体を固定することができ、強磁性体の取付が容易となり、生産性の向上に寄与する。
【００１０】
前記強磁性体は、前記挿入孔の前記鍔部および／または前記ハウジングに備えられた弾性体によって、前記挿入孔の軸線方向に付勢させることもできるし、もしくは、前記挿入孔の前記鍔部および／または前記挿入孔の開口部に着脱自在に挿設された固定部に載置された弾性体によって、前記挿入孔の軸線方向に付勢させることもできる。
【００１１】
かかる構成によれば、強磁性体は弾性体によって押圧方向に付勢されることから、車両の振動環境等によるガタツキやガタツキに起因する異音の発生等を防止することができる。
【発明の効果】
【００１２】
このような車両用ブレーキ液圧制御装置によれば、装置の小型化が図れるとともに、取付容易な電動モータのラジオノイズを低減することができる車両用ブレーキ液圧制御装置を提供することができる。
【発明を実施するための最良の形態】
【００１３】
［第１実施形態］
次に、本発明の実施形態について、適宜図面を参照しながら詳細に説明する。図１は本実施形態に係る車両用ブレーキ液圧制御装置における主要な構成部品のみを示す簡略化した側面図である。なお、以後、図１に示した方向Ｘ，Ｙ，Ｚを基準として説明する。ここで、Ｘは車両に取り付けられた液圧制御装置２の平面的な一の方向であり、Ｙはこの平面的な一の方向と直交する平面的な他の方向（紙面に垂直な方向）であり、Ｚは鉛直方向である。なお、Ｙは図１の手前側を正としている。
【００１４】
図１に示すように、液圧制御装置（車両用ブレーキ液圧制御装置）２は、各種部材・機器が設けられる基体１０と、基体１０の第一取付面（表面）１０１に一体に固着され、電子制御ユニット（図示せず）などが収容されるハウジング３０と、基体１０の第二取付面（裏面）１０２に一体に固着され、ブレーキ液を送るポンプ（図示せず）の動力となる電動モータ２０とを備えている。
【００１５】
ハウジング３０は、電子制御ユニットなどとの接続端子が埋設された支持板部を備えるコントロールケース３０Ａと、このコントロールケース３０Ａの電子制御ユニット側の開口部を密閉するコントロールカバー３０Ｂとを備えており、基体１０の第一取付面１０１にシール部材を介して取り付けられている。
【００１６】
電動モータ２０は、モータケース２１、モータカバー２２および内部にロータ（図示せず）を備えている。モータケース２１は、略有底円筒状に形成された部材であり、その開口部にモータカバー２２が覆設されることによって、その内部にロータが収容されるようになっている。また、ロータの出力軸は、モータケース２１内や基体１０の第二取付面１０２側に設けられるボールベアリング（図示せず）により回転自在に支持されている。そして、この出力軸の適所には、偏心軸部が設けられ、偏心軸部には、ポンプのプランジャ（図示せず）を往復動させるために、その外周面でプランジャを適宜押圧するボールベアリング（図示せず）が設けられている。
【００１７】
基体１０は、略直方体に形成される金属部品であり、その各面には電磁弁などの各種機器を設置するための穴（孔）が適宜形成されており、その内部にはブレーキ液の通り道となる油路（図示せず）が適宜形成されている。
【００１８】
次に、図２を参照して、バスバー１１０が挿入される基体１０の構成をより詳細に説明する。図２は、図１のＡ−Ａ線における基体１０の正面図であり、ハウジング３０が基体１０から外された状態における第一取付面１０１を示している。
【００１９】
図２に示すように、本実施形態に係る液圧制御装置２の基体１０の第一取付面１０１には、種々の機器が備えられる有底円筒状孔もしくは貫通孔が、複数形成されている。第一取付面１０１の上半部分に四つの入口弁１１１、四つの出口弁１１２、二つのカット弁１１６および二つの吸入弁１１７が、その下半部分に二つのリザーバ１１３および圧力センサ１１８が、前記した孔に装着されている。第一取付面１０１の四隅に配設された孔１０３は、ハウジング３０（図１参照）を取付ける際のメネジが形成されている。
【００２０】
二つのリザーバ１１３，１１３の間には、第一取付面１０１と第二取付面１０２（図１参照）とを結ぶ貫通孔として挿入孔１３０が形成され、そこにバスバー１１０が挿入されている。バスバー１１０は、電動モータ２０（図１参照）と、ハウジング３０（図１参照）とを電気的に接続するものである。
【００２１】
次に、図３を参照して、本実施形態に係る強磁性体の構成について説明する。図３は、図２のＢ−Ｂ線における基体１０とハウジング３０の一部断面を表す側面図であり、（ａ）は液圧制御装置２の全体を表し、（ｂ）と（ｃ）は、（ａ）の一点鎖線で囲った部分となるバスバーと環装された強磁性体の近傍を拡大している。
【００２２】
バスバー１１０は、導電金属製であり、樹脂製の棒材に組み付けられている。前記したように、基体１０に形成された第一取付面１０１と第二取付面１０２（図１参照）とを結ぶ挿入孔１３０に挿入され、ハウジング３０に備えられた電子部品等と電動モータ２０とを電気的に連結させるため、基体１０を図１のＸ方向に貫設している。なお、挿入孔１３０の形状は、本実施形態では、丸孔として説明するが、バスバー１１０の断面形状によって決定されるため、丸孔に限定はされない。
【００２３】
挿入孔１３０は、その中間よりも電動モータ２０寄りに、鍔部１３１が形成されている。従って、挿入孔１３０は、ハウジング３０側の開口から鍔部１３１まで一様な断面積で形成された大断面形状部１３２と、鍔部１３１において階段状に断面積が小さくなり、その後電動モータ２０側の開口までその断面積を維持する小断面形状部１３３とから構成されている。なお、小断面形状部１３３であっても、バスバー１１０が貫設できる断面積と形状を有している。
【００２４】
強磁性体１２０は、バスバー１１０を中央に間挿することができる孔が形成された、室温で強磁性を示す断面形状が一様な筒状の部材である。なお、強磁性体１２０としては、いわゆるフェライト・コアが、一般的であり、円筒状のフェライト・シリンダ、これを中心軸方向に分割した分割フェライト・シリンダや箱状のものなどがある。
【００２５】
強磁性体１２０は、ハウジング３０の側からバスバー１１０が挿入された挿入孔１３０に、バスバー１１０を囲うように挿入される。ただし、強磁性体１２０の断面形状は、大断面形状部１３２を通過することができるが、小断面形状部１３３を通過することはできず、鍔部１３１で挿入が停止する形状に形成されている。
【００２６】
強磁性体１２０が挿入孔１３０に挿入され、停止した状態で、ハウジング３０が基体１０に取付けられる。強磁性体１２０が鍔部１３１と当接する部分には、図３（ｂ）に示すように弾性体１３４が備えられている。弾性体１３４は、強磁性体１２０と鍔部１３１との間に介設されており、強磁性体１２０をハウジング３０側（図３（ｂ）のＸ方向）に付勢する。
【００２７】
なお、図３（ｃ）に示すように、強磁性体１２０がハウジング３０と当接する部分に弾性体１３５を備える構成としても良い。弾性体１３５は、強磁性体１２０を電動モータ２０側（図３（ｃ）の−Ｘ方向）に付勢する。かかる構成によって、強磁性体１２０は常に押圧された状態となるため、車両の振動環境等によるガタツキやガタツキに起因する異音の発生等が防止される。
【００２８】
なお、強磁性体は、バスバーに巻き付けることもできる。かかる構成によって、すなわち、強磁性体を環装させる、いわゆるフェライト・コアを形成し、このフェライト・コアをインダクタとして機能させている。こうすることによって、コンデンサやチョークコイルを接続することで構成されていたノイズフィルタが必要なくなり、前記したチョークコイルの外径によって、ブラシホルダの高さが規制される設計的な制約はなくなり、装置の小型化が図れる。さらに、組付けは容易であり、コンデンサやチョークコイルを取付ける際に必要だった溶接やはんだ付け等の工程が不必要となるため生産性の向上が図れる。
【００２９】
［第２実施形態］
次に、本発明に係る液圧制御装置の第２実施形態について説明する。本実施形態における液圧制御装置において、前記した第１実施形態（図１等参照）と同一構成の部分は、同じ参照番号を付して重複する説明は省略し、第１実施形態と異なる部分を中心に説明する。
図４は、図２のＢ−Ｂ線における側断面図であり、（ａ）は液圧制御装置の全体を表し、（ｂ）と（ｃ）は、（ａ）の一点鎖線で囲った部分となるバスバーと環装された強磁性体の近傍を拡大している。
【００３０】
本実施形態に係る液圧制御装置３は、前記した第１実施形態（図３参照）とは、強磁性体２２０の固定方法が異なっている。強磁性体２２０は、第１実施形態の強磁性体１２０よりも挿入孔１３０の軸線方向の長さが短くなっており、基体１０の挿入孔１３０に全体が収挿される。
収挿された強磁性体２２０は、挿入孔１３０から脱落しないように、挿入孔１３０のハウジング３０側の開口に本願の固定部としてのリング状の固定部２２１を装着することによって止栓される。
【００３１】
強磁性体２２０が鍔部１３１と当接する部分には、図４（ｂ）に示すように弾性体１３４が備えられている。弾性体１３４は、強磁性体２２０と鍔部１３１との間に介設されており、強磁性体２２０をハウジング３０側（図４（ｂ）のＸ方向）に付勢する。
【００３２】
なお、図４（ｃ）に示すように、強磁性体２２０が固定部２２１と当接する部分に弾性体１３５を備える構成としても良い。弾性体１３５は、強磁性体２２０を電動モータ２０側（図４（ｃ）の−Ｘ方向）に付勢する。かかる構成によって、強磁性体２２０は常に押圧された状態となるため、車両の振動環境等によるガタツキやガタツキに起因する異音の発生等が防止される。
【００３３】
以上、実施例を挙げて、各実施形態について説明したが、図面に記載したものに限定されることなく、その趣旨を逸脱しない範囲で設計変更が可能である。
例えば、前記した強磁性体１２０,２２０を付勢する弾性体１３４，１３５を省略し、ハウジング３０によって、強磁性体１２０，２２０を規制することもできる（図３，４参照）。
【図面の簡単な説明】
【００３４】
【図１】第１実施形態に係る車両用ブレーキ液圧制御装置の取付構造における主要な構成部品のみを示す簡略化した側面図である。
【図２】図１のＡ−Ａ線における基体の正面図である。
【図３】図２のＢ−Ｂ線における側断面図であり、（ａ）は液圧制御装置２の全体を表し、（ｂ）と（ｃ）は、（ａ）の一点鎖線で囲った部分となるバスバーと環装された強磁性体の近傍を拡大している。
【図４】図２のＢ−Ｂ線における側断面図であり、（ａ）は液圧制御装置３の全体を表し、（ｂ）と（ｃ）は、（ａ）の一点鎖線で囲った部分となるバスバーと環装された強磁性体の近傍を拡大している。
【符号の説明】
【００３５】
２      液圧制御装置（第１実施形態）
３      液圧制御装置（第２実施形態）
１０    基体
２０    電動モータ
２１    モータケース
２２    モータカバー
３０    ハウジング
１０１  第一取付面
１０２  第二取付面
１１０  バスバー
１２０，２２０  強磁性体
１３０  挿入孔
１３１  鍔部
１３２  大断面形状部
１３３  小断面形状部
１３４，１３５  弾性体
２２１  固定部
【図１】
0005054580.tif 000002
【図２】
0005054580.tif 000003
【図３】
0005054580.tif 000004
【図４】
0005054580.tif 000005